(57)【要約】  可変剛性アクチュエータは撓み板の外縁部から内側に延びる第１の片持ち梁を含む撓み板を含む。筐体と撓み板が共通の関節軸まわりに回転可能である。第１の接触子は回転関節の位置で筐体に旋回可能に固定されている。第１の接触子は第１の回転軸の位置で回転関節のまわりを回転する。第１の回転軸は筐体内で関節軸からずれている。第１の接触子は回転軸まわりの可変角度で第１の片持ち梁を係合して撓み板と筐体の間の機械的接続の剛性を調整する。【特許請求の範囲】
【請求項１】
外縁部から内側に延びる第１の片持ち梁を含む撓み板と、
筐体と、
前記撓み板と前記筐体が共通の関節軸まわりに回転可能であり、及び
回転関節の位置で前記筐体に旋回可能に固定され、前記筐体内で前記関節軸からずれている第１の回転軸の位置で前記回転関節のまわりを回転する第１の接触子とを含み、
前記第１の接触子は前記回転軸まわりの可変角度で前記第１の片持ち梁を係合して前記撓み板と前記筐体の間の機械的接続の剛性を調節する、可変剛性アクチュエータ。
【請求項２】
前記撓み板に固定された中空シャフトをさらに含む、請求項１に記載の可変剛性アクチュエータ。
【請求項３】
前記中空シャフトは前記撓み板の前記外縁部に固定されている、請求項２に記載の可変剛性アクチュエータ。
【請求項４】
前記中空シャフトに動作可能に接続された調和駆動型モーターをさらに含む、請求項３に記載の可変剛性アクチュエータ。
【請求項５】
前記筐体に固定された出力結合子をさらに含む、請求項１に記載の可変剛性アクチュエータ。
【請求項６】
前記第１の接触子を含む一対の接触子、及び
前記第１の片持ち梁を含む一対の片持ち梁を含む、請求項１に記載の可変剛性アクチュエータ。
【請求項７】
前記一対の接触子に動作可能に接続され、前記回転軸まわりに同じ角度で前記一対の接触子の各接触子を同時に駆動する接触子モーターをさらに含む、請求項６に記載の可変剛性アクチュエータ。
【請求項８】
前記一対の片持ち梁のそれぞれの片持ち梁は対応する接触子により係合されるようになっている係合面を含み、前記係合面は対応する回転軸から半径方向に離して配置される、請求項６に記載の可変剛性アクチュエータ。
【請求項９】
前記一対の片持ち梁のそれぞれの片持ち梁の形状は、各片持ち梁の先端部から前記撓み板の外縁部に移動するにつれて各片持ち梁の断面の厚さが大きくなるように非線形である、請求項８に記載の可変剛性アクチュエータ。
【請求項１０】
前記一対の接触子を含む少なくとも４つの接触子、及び
前記一対の片持ち梁を含む少なくとも４つの片持ち梁をさらに含む、請求項６に記載の可変剛性アクチュエータ。
【請求項１１】
外縁部から内側に延びる第１の片持ち梁を含む撓み板と、
筐体と、
前記撓み板と前記筐体が共通の関節軸まわりに回転可能であり、及び
回転関節の位置で前記筐体に旋回可能に固定され、前記筐体内で前記関節軸からずれている回転軸の位置で前記回転関節のまわりを回転し、前記回転軸まわりの可変角度で前記第１の片持ち梁を係合して前記撓み板と前記筐体の間の機械的接続の剛性を調整する第１の接触子とを含む
可変剛性アクチュエータ、
前記撓み板に動作可能に接続された入力結合子、及び
前記筐体に固定された出力結合子を含む、ロボットマニピュレータ。
【請求項１２】
前記入力結合子に固定された調和駆動型モーター、及び
前記調和駆動型モーターにより回転可能であり、前記撓み板の前記外縁部に固定された中空シャフトをさらに含む、請求項１１に記載のロボットマニピュレータ。
【請求項１３】
前記可変剛性アクチュエータは第１の可変剛性アクチュエータであり、第２の可変剛性アクチュエータをさらに含み、前記第２の可変剛性アクチュエータは、
外縁部から内側に延びる第２の片持ち梁を含む撓み板と、
筐体と、
前記撓み板と前記筐体が共通の関節軸まわりに回転可能であり、
前記入力結合子は前記第２の可変剛性アクチュエータに固定されており、及び、
回転関節の位置で前記筐体に旋回可能に固定され、前記筐体内で前記関節軸からずれている回転軸の位置で前記回転関節のまわりを回転し、前記回転軸まわりの可変角度で前記第２の片持ち梁を係合して前記撓み板と前記筐体の間の機械的接続の剛性を調整する第２の接触子とを含む、
請求項１２に記載のロボットマニピュレータ。
【請求項１４】
前記第１の可変剛性アクチュエータの前記第１の接触子に動作可能に接続され、前記第１の接触子の前記可変角度を変更して前記第１の可変剛性アクチュエータの前記剛性を調整するようになっている第１の接触子モーター、及び
前記第２の可変剛性アクチュエータの前記第２の接触子に動作可能に接続され、前記第１の接触子の前記可変角度を変更して前記第２の可変剛性アクチュエータの前記剛性を調整するようになっている第２の接触子モーターをさらに含む、請求項１３に記載のロボットマニピュレータ。
【請求項１５】
前記第１の可変剛性アクチュエータは第１の剛性に対して動作し、前記第２の可変剛性アクチュエータは第２の剛性に対して動作する、請求項１４に記載のロボットマニピュレータ。
【請求項１６】
アクチュエータ関節の剛性を制御する方法であって、
外縁部から内側に延びる第１の片持ち梁を含む撓み板、
筐体、
前記撓み板と前記筐体が共通の関節軸まわりに回転可能であり、及び
回転関節の位置で前記筐体に旋回可能に固定され、前記筐体内で前記関節軸からずれている第１の回転軸の位置で前記回転関節のまわりを回転する第１の接触子を含む
アクチュエータ関節を提供する工程、
前記回転軸まわりの前記第１の接触子の連続可変角度を変更することで前記第１の接触子と前記第１の片持ち梁の間の係合を調整する工程、
前記第１の接触子の第１の角度で前記第１の片持ち梁を前記第１の接触子と係合して前記撓み板と前記筐体の間の第１の剛性の機械的接続を提供する工程、及び
前記第１の接触子の第２の角度で前記第１の片持ち梁を前記第１の接触子と係合して前記撓み板と前記筐体の間の第２の剛性の機械的接続を提供する工程を含む、方法。
【請求項１７】
前記撓み板の前記外縁部に固定された中空シャフトを介して前記撓み板に入力トルクを提供する工程、及び
前記撓み板を介した前記入力トルクの少なくとも一部を前記第１の片持ち梁と前記第１の接触子の間の係合により前記筐体に伝える工程をさらに含む、請求項１６に記載の方法。
【請求項１８】
前記入力トルクは第１の入力トルクであり、
前記撓み板と前記筐体の間の前記第１の剛性の機械的接続を提供する工程、
前記第１の入力トルクを提供して前記筐体を第１の角度に動かす工程、
前記撓み板と前記筐体の間の前記第２の剛性の機械的接続を提供する工程、及び
前記中空シャフトを介して前記撓み板に第２の入力トルクを提供して前記筐体を第２の角度に動かす工程をさらに含む、請求項１７に記載の方法。
【請求項１９】
前記アクチュエータ関節は前記第１の片持ち梁を含む４つの片持ち梁を含み、前記アクチュエータ関節は前記第１の接触子を含む４つの接触子を含み、前記方法は、
前記４つの接触子を前記接触子のそれぞれの回転軸まわりの同じ角度に同時に駆動する工程を含む、請求項１６に記載の方法。
【請求項２０】
前記第１の角度は前記関節軸に対する最小角度であり、前記第１の剛性は最小剛性であり、前記第２の角度は前記関節軸に対する最大角度であり、前記第２の剛性は最大剛性である、請求項１６に記載の方法。
【発明の詳細な説明】
【技術分野】
【０００１】
政府支援研究又は開発に関する記載
アメリカ国立科学財団（National Science Foundation、NSF）により授与された許可番号ＩＩＳ−１４２７３２９の下で国家ロボットイニシアティブの一環として政府の支援で本発明は行われた。具体的には「ＮＲＩ：可変インピーダンス駆動により実現する任務固有のアドミッタンスを用いて得られる巧みな操作」という提案に対して２０１４年から２０１７年まで資金援助が行われた。米国政府は本発明に一定の権利を有する。
【０００２】
＜関連出願に対する相互参照＞
本願は２０１６年４月１４日に出願された米国仮特許出願第６２／３２２，５５０号の優先権を主張し、その内容は全体が参照により本明細書に組み込まれる。
【背景技術】
【０００３】
アクチュエータは貯蔵エネルギーを運動に変換する部品であり、その意味ではロボットの「筋肉」のようなものである。普及している従来のロボットは高剛性のアクチュエータ、つまり動力関節を用いて自由空間での絶対的位置決め精度を提供する。例えば、制御された環境でロボットが高速度及び高精度で単調かつ反復的な任務を行う従来の製造業務では、所定の関節軌道を剛的にたどる位置制御ロボットが最適である。従来の位置制御アクチュエータは剛的であるほど良いという前提で設計されている。この手法では広帯域のシステムを作り出すが、接触が不安定になり、ノイズが生じ、又は動力密度が低くなるという問題が発生しやすい。
【０００４】
可変剛性アクチュエータは組織化されていない環境でロボットの相互作用力が限られている場合に多くの利点を提供する。対象物の正確な位置が分からない未組織化の環境では、動力制御関節つまり可変剛性アクチュエータが望ましい。これによりロボットは周囲環境に適合することができるからである。そのようなロボット（人間型ロボット、粗い地形を歩行する脚付ロボット、人々と相互作用するロボットアーム、運動能力向上外骨格、触覚インターフェース、及び他のロボット用途など）は変化して予測不可能な環境で動的な活動をすることができる。
【０００５】
可変剛性アクチュエータは衝撃に対する耐性、低い反射慣性、より正確で安定した力の制御、極めて低いインピーダンス、低い摩擦、環境に対する低いダメージ、エネルギー貯蔵を含む利点を提供する。可変剛性アクチュエータのいくつかの例は出願人が同時継続出願した「広い剛性範囲を有する可変剛性アクチュエータ」という名称の米国特許出願第１４／７８６，８８１号に開示されており、その開示全体は参照により本明細書に組み込まれる。
【発明の概要】
【課題を解決するための手段】
【０００６】
可変剛性アクチュエータの例示的な実施形態は撓み板を含む。撓み板は外縁部を有し、その外縁部から内側に延びる第１の片持ち梁を含む。筐体と撓み板が共通の関節軸まわりに回転可能である。第１の接触子は回転関節の位置で筐体に旋回可能に固定されている。第１の接触子は筐体内で第１の回転軸の位置で回転関節のまわりを回転する。第１の回転軸は筐体内で関節軸からずれている。第１の接触子は回転軸まわりの可変角度で第１の片持ち梁を係合して撓み板と筐体の間の機械的接続の剛性を調節する。
【０００７】
ロボットマニピュレータの例示的な実施形態は可変剛性アクチュエータを含む。撓み板は外縁部を有し、その外縁部から内側に延びる第１の片持ち梁を含む。筐体と撓み板が共通の関節軸まわりに回転可能である。第１の接触子は回転関節の位置で筐体に旋回可能に固定されている。第１の接触子は第１の回転軸の位置で回転関節のまわりを回転する。第１の回転軸は筐体内で関節軸からずれている。第１の接触子は回転軸まわりの可変角度で第１の片持ち梁を係合して撓み板と筐体の間の機械的接続の剛性を調整する。入力結合子は撓み板に動作可能に固定されている。出力結合子は筐体に固定されている。
【０００８】
アクチュエータ関節の剛性を制御する方法の例示的な実施形態は、アクチュエータ関節を提供する工程を含む。アクチュエータ関節は撓み板を含む。撓み板は外縁部を有し、その外縁部から内側に延びる第１の片持ち梁を含む。筐体と撓み板が共通の関節軸まわりに回転可能である。第１の接触子は回転関節の位置で筐体に旋回可能に固定されている。第１の接触子は第１の回転軸で回転関節のまわりを回転する。第１の回転軸は筐体内で関節軸からずれている。第１の接触子と第１の片持ち梁の間の係合は回転軸まわりの第１の接触子の可変角度を調節することで調整される。第１の接触子は第１の接触子の第１の角度で第１の片持ち梁を係合して撓み板と筐体の間の第１の剛性の機械的接続を提供する。第１の接触子は第１の接触子の第２の角度で第１の片持ち梁を係合して撓み板と筐体の間の第２の剛性の機械的接続を提供する。
【図面の簡単な説明】
【０００９】
【図１】可変剛性アクチュエータを用いるロボットマニピュレータの例示的な実施形態を示す。
【００１０】
【図２】可変剛性アクチュエータの例示的な実施形態を示す。
【００１１】
【図３】最大剛性の構成における可変剛性アクチュエータの例示的な実施形態を示す。
【００１２】
【図４】最小剛性の構成における可変剛性アクチュエータの例示的な実施形態を示す。
【００１３】
【図５】可変剛性アクチュエータの実施形態に関連して用いることができる歯車列の例示的な実施形態を示す。
【００１４】
【図６】様々な正規化接触子角Θsでの関節の対数剛性の例示的なグラフである。
【発明を実施するための形態】
【００１５】
本明細書に開示される主題は本願を通して下記のいくつかの定義を用いて記載される。
【００１６】
別途記載しない限り、本明細書で用いる用語は当業者の通常の使用法に従って理解するべきである。以下に提供される用語の定義に加えて、本明細書、実施形態、及び特許請求の範囲で用いるように、「１つの（a）、「１つの（an）」、及び「その（the）」という用語は、用語が用いられる文脈に応じて「１つ以上」を意味する場合があるのは当然のことである。
【００１７】
本明細書で用いるように、当業者は「約（about）」、「およそ（approximately）」、「実質的に（substantially）」、及び「かなり（significantly）」という用語を理解しており、これらは用いられる文脈に応じてある程度異なっている。用いられる文脈を前提にしてこれらの用語が当業者にとって不明確な形で用いられる場合、「約」及び「およそ」は個別の用語の±１０％以下を意味し、「実質的に」及び「かなり」は個別の用語の±１０％超を意味する。
【００１８】
「含む（include）」及び「含む（including）」という用語は、「備える（comprise）」及び「備える（comprising）」という用語と同じ意味を持つ。「備える」という用語は特許請求の範囲で列挙される構成要素に追加の構成要素をさらに包含することができる「非制限的」移行句として解釈するべきである。「なる（consist）」及び「〜からなる（consisting of）」という用語は特許請求の範囲で列挙される構成要素以外の追加の構成要素を包含することができない「制限的」移行句として解釈するべきである。「本質的に〜からなる」という用語は特許請求される主題の性質を根本的には変更しない追加の構成要素のみを包含することができる部分的に制限的なものと解釈するべきである。
【００１９】
図１に、例えば本明細書でさらに詳細に記載する可変剛性アクチュエータ（variable stiffness actuator、VSA）１０を含むロボットマニピュレータ５０の例示的な実施形態を示す。ロボットマニピュレータ５０の例示的な実施形態は、完全な確実さを持つロボット制御部として知られていないあるいは知られていない可能性のある動的制約を示す環境と相互作用することができる。本明細書に開示するロボットマニピュレータ５０の実施形態は可変剛性アクチュエータ１０を用いることでロボットマニピュレータ５０は必要な場合に環境に適合できるのみならず、ロボットマニピュレータが自由空間で動作する場合を含む無制限の方向での正確な動作制御のためにアクチュエータの高い剛性を提供することができる。
【００２０】
例えば、ロボットマニピュレータ５０はＶＳＡ１０により回転可能に接続された入力結合子５４と出力結合子５６を含む。例示的な実施形態では、出力結合子５６は機能的要素５８、例えばレンチ、スクリュードライバー、又は把持要素を含んでもよい。当業者はさらなる実施形態で用いることができる他の形態の機能的要素５８が分かっている。さらに当然のことであるが、ロボットマニピュレータ５０の複数のＶＳＡによる実施形態では各ＶＳＡ１０が異なる機能的任務を行ってもよい。一実施形態では、この機能的作業は、例えば「肩」機能部、「肘」機能部、若しくは「手首」機能部、又は他の非擬人的機能部のそれぞれで行ってもよい。実施形態では本明細書に記載するＶＳＡ１０の制御、例えば剛性、剛性の範囲、又は各ＶＳＡ１０の他の動作の制御をＶＳＡ１０が実行する機能により決定してもよい。
【００２１】
さらに当然のことであるが、複数のＶＳＡ１０を含むロボットマニピュレータ５０の実施形態では、あるＶＳＡ１０に対する出力結合子は次のＶＳＡ１０に繋がる入力結合子５４を含んでもよい。さらに当然のことであるが、本明細書で用いる出力結合子と入力結合子の識別は参照上の問題であり、当業者には分かっていることである。他の実施形態では入力結合子と出力結合子を反対にしてもよい。
【００２２】
さらにＶＳＡ１０はモーター５２により駆動される。例示的な実施形態では、モーター５２は調和駆動型アクチュエータであるが、当業者はＶＳＡ１０に関して他の種類のモーターを用いてもよいことが分かっている。モーター５２はＶＳＡ１０の撓み板１８（図２）に接続されたシャフト６０を駆動する。例示的な実施形態では、シャフト６０は撓み板１８の外縁部に固定された中空シャフトである。さらに詳細に本明細書に記載するように、ＶＳＡ１０は接触子モーター６２をさらに含む。接触子モーター６２は例えば本明細書にさらに詳細に記載するＤＣギアモーターである。接触子モーター６２は例えば本明細書に記載する接触子を駆動してＶＳＡ１０の関節の剛性を変更する。
【００２３】
図２は図１にすでに示したＶＳＡ１０の例示的な実施形態の詳細図である。図２に示していないが、シャフト６０は筐体の撓み板１８に接続されている。出力結合子５６は筐体１４に固定されている。複数の接触子１２は回転関節１６で筐体１４に回転可能に接続される。接触子１２は撓み板１８の片持ち梁２０をそれぞれ係合する。シャフト６０が回転することにより撓み板１８が回転し、この回転が片持ち梁２０により接触子１２、回転関節１６、及び筐体１４に伝えられる。シャフト６０は例えば中空であり、撓み板１８の外縁部で撓み板１８に固定されている。一例では、撓み板１８の外縁部にある孔部２８でボルト（図示せず）を受けて中空シャフト６０を撓み板１８に固定する。出力結合子５６は筐体１４に固定され、筐体１４とともに回転する。本明細書にさらに詳細に記載するように、撓み板１８の接触子１２と片持ち梁２０の係合によりシャフト６０から撓み板１８及び接触子１２を介して筐体１４及び出力結合子５６への回転運動の剛性を選択的に制御する。
【００２４】
ロボットが環境、例えば製造任務と相互作用するロボット用途では、操作任務はロボット環境との物理的相互作用を含む。従来のマニピュレータと同様に、関節の剛性が高い場合に本明細書に開示する可変剛性駆動によりロボットは自由空間で高い精度の位置決めを提供することができる。ロボットが高い剛性の方向と低い剛性の方向を向いてロボット又は作業すなわち周囲環境にダメージを与えることなく有用な作業を行うことができるように、可変剛性で各関節を別々に調整することもできる。
【００２５】
制約操作の一例はロボットを用いるボルト締めである。ロボットはねじ孔に進むボルトに関連する方向に剛性でなければならないと同時に、ボルトを孔に進ませないレンチ／ボルトの相互作用が制約となっている方向に適合しなければならない。
【００２６】
本明細書に開示する実施形態では、ロボットが任務の制約に受動的に適合して信頼性のある高速の操作を実現することができる。
【００２７】
現在市販されている直列弾性アクチュエータ（ＳＥＡ）は可変剛性を持っていない。ロボットよってはＳＥＡを用いるものがある。Rethink Robotics社により市販されるロボット（バクスター及びソーヤー）は直列弾性アクチュエータを含む。アメリカ航空宇宙局（NASA）のロボノート（Robonaut）は２本のアームを持ち、アームのそれぞれは７個の関節を持ち、各アームの４個の関節は直列弾性アクチュエータを含む。
【００２８】
現在市販されているＶＳＡ（研究室で見受けられる）のいずれも本明細書に開示する実施形態で得られる範囲の剛性を持たない。現在市販されているＶＳＡの設計では理論的には最高受動剛性の最低受動剛性に対する比で約１０を得ることができる。本明細書で開示する実施形態では理論的にはこれを優に上回る比を得ることができる（理論的にはこの比は無限である。（撓み力が小さければ）ゼロで割った任意の有限数は無限だからである）。接触子１２と片持ち梁２０の間の接触が保持される撓み力が小さい場合、比率は約１０，０００になる場合がある。
【００２９】
直列弾性アクチュエータを用いることに対する本明細書開示の実施形態の利点は、アクチュエータの受動的剛性が実時間で選択可能であることである。これによりロボットは下記の相互作用的任務を行うことができる。
【００３０】
上記のように、図２はロボットマニピュレータ５０に関連して用いることができる可変剛性アクチュエータ（ＶＳＡ）１０の例示的な実施形態の詳細図を示す。ＶＳＡ１０は例えば４つの接触子１２を含み、これらはそれぞれ回転関節１６によりＶＳＡ筐体１４に接続される。各回転関節１６は筐体１４に対する回転軸２２を規定し、この回転軸まわりで各接触子１２が回転する。接触子１２は、入力結合子５４に設けた調和駆動型アクチュエータ５２にシャフト６０（図１）により接続された撓み板１８に接触する。したがって接触子１２は回転可能に制御され、選択的に可変な位置で撓み板１８を係合するようになっているカムである。撓み板１８は複数の非線形片持ち梁２０を含む。接触子が動く範囲全体で撓み板と接触子の間の接触が保持されるように各片持ち梁の一方の側は円形形状を有する。片持ち梁の他方の側は梁／接触子の接触箇所が梁支持部（撓み板外縁部）の方に移動するにつれて剛性の指数的上昇を実現するようにした形状を有する。実施形態では、対応する数の接触子１２及び片持ち梁２０をＶＳＡ１０に設けている。例えば、４個の接触子１２のそれぞれは４個のそれぞれの片持ち梁２０で撓み板１８に接触する。片持ち梁２０は撓み板１８の中心点に向かって内側に延びる。しかし、片持ち梁２０は非線形の形状を具現化し、片持ち梁２０が終点２６に向かって細長くなるにつれて撓み板１８の中心点６４から弧状になっている。結果として、それぞれの片持ち梁２０の係合面２４は、例えば各回転軸２２から半径距離Ｒだけ離して配置されている。回転軸２２は撓み板１８の中心部からずれており、片持ち梁２０は撓み板１８の中心部から湾曲する効果を示す。
【００３１】
４個の接触子１２の向き（各接触子１２はＶＳＡの軸６４に対して角度Θsの方向にある）により関節の有効剛性が決定される。各接触子１２のそれぞれの回転関節１６は例えば少なくとも１つの接触子モーター６２（図１）により駆動される。例示的な実施形態では、接触子１２はすべての接触子１２を同時に駆動するようにかみ合わせた単一のＤＣモーターにより回転関節１６のまわりで駆動される。別の実施形態では、回転関節１６のまわりでの接触子１２の回転位置は別々のモーターで個別に制御してもよい。
【００３２】
例示的な実施形態では、筐体１４はＶＳＡの軸６４（シャフト６０と同軸である）まわりで回転できる。接触子１２はＶＳＡの軸６４まわりの筐体１４、接触子１２、および回転関節１６の回転とは独立してそれぞれの回転軸２２まわりで回転するように動作する。撓み板１８は調和駆動型モーター（図１）によりＶＳＡの軸６４まわりの角度位置ΘPに駆動される。撓み板１８の回転が筐体１４に、したがって筐体１４に固定された出力結合子５６に伝えられる。このようにして、ＶＳＡが非常に剛性である場合（つまり、片持ち梁２０と接触子１２の間の接点が外縁部に近い場合）、出力結合子５６も同じ角度位置ΘPに駆動される。
【００３３】
当然のことであるが、例示的な実施形態では調和駆動型モーターは特定の関節及び各関節の作業負荷に合わせて大きさを決めてもよい。撓み板は片持ち梁の駆動される長手方向の曲がり部にトルクを与え、関節に全体として弾性の動作を提供する。例示的な実施形態では、例えば筐体に関連付けされた符号器（図示せず）がＶＳＡ内で関節の弾性撓み力を測定する。
【００３４】
入手可能な直列弾性アクチュエータ（ＳＥＡ）は駆動部品に直列接続され、通常はロボットまたは人工器具部品における結合子となるねじりばねを含むモーターを組み込む。記載したように、可変剛性アクチュエータ（ＶＳＡ）はＳＥＡに類似するが、本実施形態のＶＳＡは、接触子１２が撓み板の片持ち梁に接触する位置を制御することでアクチュエータの剛性を実時間で変更する追加の機能を持つ。
【００３５】
本開示の設計による実施形態は従来のＶＳＡの設計とはいくつかの領域で異なる。本実施形態では、調和駆動型シャフトは中空である。本実施形態では、撓み板１８はその中心部ではなくシャフトの外縁部で駆動される。本明細書で開示される実施形態では、図３に示すように接触子１２と撓み板１８（例えば片持ち梁２０）の間の接点が撓み板の外縁部に近づくと、剛性は高くなる。図４に示すように接触子が駆動シャフトの方を向くと、剛性は低くなる。
【００３６】
撓み板の断面積及び抑圧力の方向はＶＳＡ１０の動作により選択可能な有効剛性の範囲を大きくするように設計されている。剛性値の全範囲で接触子の位置が不確定であっても、片持ち梁２０を有する撓み板１８は実際の剛性が指示された剛性に近くなるようにも設計されている。
【００３７】
撓み板１８の片持ち梁２０は特定の非線形の断面を持つ。接触子側の断面は円弧に対応する。円弧を用いることで、接触子１２は片持ち梁に沿って平行移動して接点を変更しない。その代わりに接触子１２はそれぞれの片持ち梁２０から離れている各回転点２２まわりに回転し、接触子１２と片持ち梁２０の間の接触面２４で接点を変更する。接触子１２の平行移動ではなく回転運動を用いて片持ち梁２０に沿った接点の回転を変更することで、接触子は片持ち梁２０の有効曲げ断面積と片持ち梁２０の抑圧力の方向の両方を調節する。接触子１２がＶＳＡの軸６４の方を向いているとき、接触子１２により片持ち梁２０にかかる力でＶＳＡの軸６４まわりの回転を阻止することができない。接触子１２がＶＳＡの軸に向かう方向の直角方向にあるとき、接触力はＶＳＡの軸まわりの回転に直に対抗する。
【００３８】
図３及び図４に、例えば最大剛性（図３）と最小剛性（図４）の構成における可変剛性アクチュエータの例示的な実施形態を示す。撓み板１８の片持ち梁２０の円弧に沿ってローラー６６を含む１組の接触子１２を動かすことで関節の剛性を制御する。例示的な実施形態では、単一のＤＣギアモーター６２は、図５に例示するように例示的な４個の接触子１２のすべてを同時に駆動するように複数のギア６８とかみ合わせてある。例示的な実施形態では、各接触子１２の端部に配置された少なくとも１つのエンドギア７０は筐体１４に固定された歯板７４の歯７２とかみ合っている。さらに、エンドギア７０と歯板７４の係合により片持ち梁２０に対する接触子１２の動きの制御を容易にする。その結果、接触子１２の動きを調整し、対になっている接触子１２及び梁２０の全部で撓み板１８と筐体１４の間の接触剛性を等しくする。
【００３９】
図２〜図４を参照すると、例えば図４に示す最小剛性の構成では、筐体１４と撓み板１８の中心点６４の方向の参照位置に対する接触子の角度Θsが最小になる。例えば、接触子の角度Θsが０°であれば、接触子１２の中心線３０が中心点６４を向いていることを意味する。この向きでは、接触子１２の中心線３０による片持ち梁２０の断面積はシステムの最小有効剛性に合わせて最小になる。
【００４０】
調和駆動型モーターがトルクを撓み板１８に加えると、片持ち梁２０に対する制約力は最小になる。この構成ではＶＳＡの軸６４まわりの回転は接触子１２により制約されないからである。その結果、片持ち梁２０はその剛性が非常に低いにもかかわらず撓み力をほとんど受けない。この構成では接触子を含むＶＳＡを介してトルクを伝えることはできない。
【００４１】
接触子１２がそれぞれの回転軸２２まわりに回転して角度Θsが大きくなるにつれてＶＳＡの剛性が増大する。剛性が大きくなる１つの理由は、片持ち梁２０の断面積が大きくなることである。剛性が大きくなるもう１つの理由は、接触子が片持ち梁２０と接触子１２の間の接点で撓み板の動きに直に対抗することである。これにより撓み板１８と筐体１４の間で伝えられるトルクも大きくなり、調和駆動型モーターに反応してＶＳＡ１０での力の伝達の効率性及び出力結合子５６の位置決め精度を向上させる。角度Θsが大きくなるにつれて、各接触子１２及び対応する片持ち梁２０の間の接点は撓み板１８の外縁部に向かって回転運動する。角度Θsが大きくなるにつれて、接触子の中心線３０による片持ち梁２０の断面も大きくなる。角度Θsが大きくなるのに応じたこれら２つの変化によりＶＳＡ１０の剛性と撓み板１８から筐体１４に伝えられるトルクが大きくなる。図３に最大剛性の位置にある接触子１２を例示的に示す。接触子の中心線３０はシステムの中心点６４から離れた方向を向いており（角度Θsを最大にする）、接触子１２と片持ち梁２０の間の接点はシステム内で撓み板１８の外縁部に最大限近くなっている。
【００４２】
撓み板設計の例示的な実施形態は、例えば４桁の大きさに及ぶことがある可変剛性を示す。これは図７に示すグラフに例示されている。図７のグラフは正規化した接触子の位置Θsの関数としての関節の対数剛性を例示する。接触子１２が片持ち梁２０との接触を保持する場合に接触子の位置と関節の剛性の間には指数的関係が存在する。片持ち梁との接触を保持する場合、具体的な実施形態ではＶＳＡの剛性はロボットの結合子よりも大きくなるように設定することができ、あるいは結合子の撓み力が有限であれば（微量の動きで）実質的にゼロの剛性若しくは非常に小さい剛性（図７に示す）を持つように設定することができる。また、接触子が回転することで片持ち梁２０との接触が解除される場合（負の値のΘsが選択される場合）、ＶＳＡは有限の動きでゼロの剛性を持つように設定することができる。
【００４３】
上記で当業者には本発明の範囲及び趣旨を逸脱することなく本明細書に開示する本発明に様々な変更および改変をしてもよいことが明らかである。本明細書に例示的に記載する本発明は本明細書に具体的に開示していない任意の要素または限定がなくとも適切に実施することができる。用いる用語及び表現は限定ではなく記載のための用語として用いられ、そのような用語及び表現を用いるに際して図示及び記載した特徴の任意の均等物又はその一部を除外する意図はない。当然のことであるが、本発明の範囲内で様々な変更が可能である。当然のことながら本発明は具体的な実施形態及び任意に選択する特徴により例示しているが、当業者は本明細書に開示する原理の変更及び／又は改変を行うことができ、そのような変更及び改変は本発明の範囲内とみなされる。
【００４４】
本明細書においては複数の参照文献を引用している。引用した参照文献はその全体が参照により本明細書に組み込まれる。本明細書における用語の定義と引用した参考文献における用語の定義の間に矛盾がある場合、用語は本明細書の定義に基づいて解釈するべきである。
【００４５】
上記では、簡潔明瞭かつ分かり易くするために特定の用語を用いている。そのような用語は記載のために用いており、広く解釈することを意図しているので、用語で従来技術を超えた不要な限定を示唆するものではない。本明細書の上記の様々な製造物品及び方法を単独又は他の製造物品及び方法と組み合わせて用いてもよい。
【図１】
2019513568.tif 000002
【図２】
2019513568.tif 000003
【図３】
2019513568.tif 000004
【図４】
2019513568.tif 000005
【図５】
2019513568.tif 000006
【図６】
2019513568.tif 000007
【国際調査報告】
2019513568.tif 000008